(57)【要約】【課題】有価価値媒体の使用について、利便性を向上させた遊技機を提供する。【解決手段】遊技領域Ａを有する遊技部１８と、該遊技部１８を取り付ける本体部４と、メダルを受け入れ可能とするメダル受入れ部８２と、払出し対象となる異なる種類の有価価値媒体のいずれか一種類を払い出す有価価値媒体払出し部（遊技メダル払出し部９２，遊技球払出し９４）とを備えており、前記複数個の有価価値媒体払出し部９２，９４は、交換可能に前記本体部４に備えられている。【選択図】    図３
2005152253.tif 000002
【特許請求の範囲】
【請求項１】
遊技領域を有する遊技部と、
該遊技部を取り付ける本体部と、
メダルを受け入れ可能とするメダル受入れ部と、
払出し対象となる異なる種類の有価価値媒体のいずれか一種類を払い出す有価価値媒体払出し部とを備えており、
前記複数個の有価価値媒体払出し部は、交換可能に前記本体部に備えられていることを特徴とする遊技機。
【請求項２】
異なる種類の有価価値媒体毎に遊技に使用する遊技価値情報として換算する換算手段を備え、
前記換算手段は、払出しに関連する遊技価値情報を、払出しに関連する有価価値媒体情報に換算し、
有価価値媒体払出し部は、前記換算手段による払出しに関連する有価価値媒体情報に応じて有価価値媒体を払い出すことを特徴とする請求項１に記載の遊技機。
【請求項３】
有価価値媒体払出し部は、
メダル用の払出し部と球用の払出し部とで交換可能であることを特徴とする請求項１又は２のいずれかに記載の遊技機。
【請求項４】
有価価値媒体払出し部は、
本体部の任意箇所に着脱可能に係合固定される係合部を備えたことを特徴とする請求項３に記載の遊技機。
【発明の詳細な説明】
【技術分野】
【０００１】
本発明はスロット型やパチンコ型などの遊技機、すなわちメダルを受け入れる（投入する）ことにより、遊技者が遊技部の遊技領域において所望な遊技を楽しみ、遊技の結果、メダルや球などの有価価値媒体を払い出す機構を備えた、回胴式遊技機（以下、パチスロ機ともいう）・パチンコ機若しくはこれらに準じた業務用ゲーム機などの遊技機に関する。
【背景技術】
【０００２】
例えば、回胴式遊技機、すなわちパチスロ機は、回転作動するリールを遊技領域中に備え、所定数の有価価値媒体の投入を条件にリールを回転作動させ、例えば正面からみて、横方向・斜め方向などの数字、絵柄等のリールの図柄が、予め定めた所定の図柄の並びに揃ったことを条件に、所定数の有価価値媒体を払い出す構造で、現在このようなパチスロ機は、投入する有価価値媒体がメダルで、払い出される有価価値媒体もメダルとしているのが一般的である。
【０００３】
また、有価価値媒体としてメダルを投入し、遊技者のハンドル操作に基づき遊技領域中に遊技球を打ち出して遊技を楽しみ、遊技の結果、メダルが有価価値媒体として払い出される構造の遊技機も開示されている。（例えば、特許文献１参照）。
【特許文献１】特開２００２−２２４２９２号公報
【発明の開示】
【発明が解決しようとする課題】
【０００４】
しかし、上述した現在知られている各遊技機では、遊技店側の営業形態に合わせて、遊技機に使用する有価価値媒体を任意に変更することはできなかった。
すなわち、例えば、投入・払出し共にメダルを有価価値媒体として使用する従来の一般的なパチスロ機において、（１）投入する有価価値媒体はメダルだが、払い出される有価価値媒体は遊技球としたり、あるいは（２）投入・払い出し共に有価価値媒体はメダルとするなど、遊技機に使用する有価価値媒体を任意に変更することはその構造上到底無理であった。
また、上述の特許文献１に開示の遊技機にあっても、その有価価値媒体を遊技店側が任意に変更することはできない。
【０００５】
本発明は、このような課題を解決するためになされており、その目的とするところは、有価価値媒体の使用について、利便性を向上させた遊技機を提供することである。
【課題を解決するための手段】
【０００６】
このような目的を達成するために、第１の発明は、遊技領域Ａを有する遊技部１８と、該遊技部１８を取り付ける本体部４と、メダルを受け入れ可能とするメダル受入れ部８２と、払出し対象となる異なる種類の有価価値媒体のいずれか一種類を払い出す有価価値媒体払出し部９２，９４とを備えており、前記複数個の有価価値媒体払出し部９２，９４は、交換可能に前記本体部４に備えられていることを特徴とする遊技機としたことである。
このような手段を採用することにより、有価価値媒体としてのメダルを受け入れるメダル受け入れ部８２を備えた単一の遊技機で、遊技店側が、払出し対象とされる有価価値媒体を、営業形態にあわせてメダルや遊技球等に任意に選択設定できると共に、払出し対象とされるメダルや遊技球などの異なる有価価値媒体を任意に選択設定できる。なお、本発明の遊技機は、上述のようにメダルを有価価値媒体として投入する遊技機であり、パチスロ機に限らずパチンコ機もしくはこれに準じた業務用ゲーム機なども対象とされる。
本発明によれば、営業形態の変更などの遊技店側の都合に合わせて、使用する有価価値媒体を任意かつ容易に変更することが可能な遊技機を提供できる。
【０００７】
第２の発明は、第１の発明において、異なる種類の有価価値媒体毎に遊技に使用する遊技価値情報として換算する換算手段８０を備え、前記換算手段８０は、払出しに関連する遊技価値情報を、払出しに関連する有価価値媒体情報に換算し、有価価値媒体払出し部９２，９４は、前記換算手段８０による払出しに関連する有価価値媒体情報に応じて有価価値媒体を払い出すことを特徴とする遊技機としたことである。
このような手段を採用することにより、例えばメダル１枚＝遊技球５個などのように、異なる種類の有価価値媒体の有価価値が異なっていても、遊技クレジット数などの遊技に使用する有価価値情報を統一できる。
【０００８】
第３の発明は、第１の発明と第２の発明のいずれかにおいて、有価価値媒体払出し部は、メダル用の払出し部９２と球用の払出し部９４とで交換可能であることを特徴とする遊技機としたことである。
このような手段を採用することにより、遊技店側の任意の選択により、メダルと球の異なる払出し有価価値媒体を任意に変更できる。
【０００９】
第４の発明は、第３の発明において、有価価値媒体払出し部９２，９４は、本体部４の任意箇所に着脱可能に係合固定される係合部９８を備えたことを特徴とする遊技機としたことである。
このような手段を採用することにより、有価価値媒体払出し部９２，９４は、交換時において簡単に着脱作業が行えると共に、該有価価値媒体払出し部９２，９４の払出し口９２ｅ，９４ｄと遊技機前面に備えられる有価価値媒体の排出口７８との位置合わせが簡単に行える。
【発明の効果】
【００１０】
本発明によれば、営業形態の変更などの遊技店側の都合に合わせて、使用する有価価値媒体を任意かつ容易に変更することが可能な遊技機を提供できる。
【発明を実施するための最良の形態】
【００１１】
以下、本発明の一実施形態について説明する。なお、本実施形態は本発明の一例にすぎずなんらこれに限定解釈されるものではなく、本発明の範囲内で設計変更可能である。
【実施例１】
【００１２】
図１及び図２は、本発明を適用した遊技機の一例であり、図１はスロット型の遊技機（パチスロ機ともいう。）、図２はパチンコ型の遊技機（パチンコ機ともいう。）の一例を夫々示す。なお、本実施例では、図示するようにスロット型の遊技機とパチンコ型の遊技機の双方を図示説明するが、本発明の適用対象となる遊技機は、これらに限定されるものではなく、例えばこれらに準じた遊技機、すなわち、遊技メダルを投入して所望なゲームを楽しみ、かつゲームの結果、遊技メダルや遊技球を払出し有価価値媒体として払い出す業務用ゲーム機なども本発明の適用対象である。また、有価価値媒体とは、遊技機において用いられる有価価値を有する媒体で、例えば遊技メダルや遊技球などが代表的な一例であるがこれに限定されず本発明の範囲内で他の媒体を適用可能である。
【００１３】
遊技機２は、筐体６と、該筐体６の前面に開閉可能に取り付けられたドア部６２と、該筐体６とドア部６２の任意箇所に各種の遊技を実行するための各装置・制御基板３８などが組み込まれて本体部４が構成されている。
本実施例では、前記制御基板３８には、異なる種類の有価価値媒体毎に遊技に使用する遊技価値情報として換算する換算手段８０とを備え、該換算手段８０は、後述する通過センサ（検知手段）８８ｂによる有価価値媒体の受入れ検知に応じて遊技価値情報（遊技クレジット数）に換算する受入れ換算手段８０ａと、払出しに関連する遊技価値情報（遊技の払出しポイント）を、払出しに関連する有価価値媒体情報（実際払い出されるメダル数・球数）に換算する払出し換算手段８０ｂとを備えている。
【００１４】
前記本体部４は、本実施例によれば、筐体６の内部空間の上半分領域に形成した遊技部配設スペース８に、遊技領域Ａを有する遊技部１８が前方に突出状でかつ筐体６に対して交換可能に取り付けられ、該筐体６の内部空間の下半分領域に形成した有価価値媒体払出し部配設スペース１０に、払出し対象となる異なる種類の有価価値媒体のいずれか一種類を払い出す有価価値媒体払出し部９２，９４が交換可能に配設されている。
また、この筐体６の内部空間における前記遊技部配設スペース８よりも上方に形成した球タンク配設スペース１２には所望形状の球タンク１４が配設されると共に、該球タンク１４の最深部から、該球タンク１４と連通して下方向に延設された所望長さの球通路１６を備えている。
【００１５】
前記球タンク１４は、所望数の遊技球を貯留可能な凹状に形成されると共に、そのタンク内底面は下り傾斜状に形成し、その傾斜面の先に球通路１６に連通する連通部が備えられ、タンク１４内に貯留されている遊技球を球通路１６へと供給可能に構成している。球タンク１４の形状などは特に限定されるものではない。
球通路１６は、球タンク１４と、後述する遊技球払出し部９４とにわたって連絡し、球タンク１４内の遊技球を遊技球払出し部９４へと供給する通路である。また、この球通路１６の中途部には、排出路１６ａが接続されており、該排出路１６ａの接続箇所には図示しない流路切換部が備えられており、球タンク１４内の遊技球を遊技球払出し部９４へと供給する際は、この流路切換部が接続部分を閉蓋しており、球タンク１４内の遊技球を排出する際にはその流路切換部を開蓋して球タンク１４内から流下した遊技球を排出路１６ａへと排出させる。この排出路１６ａを介して遊技機２外に排出される遊技球は所望手段によって回収される。
なお、本実施例のうち、遊技球が払出し有価価値媒体として払い出される遊技機を導入する場合、遊技球循環システムを備えている遊技店であれば、交換後の遊技機にもその既存の遊技球循環システムをそのまま使用できる。すなわち、図示しない遊技球循環システムの遊技球供給装置を球タンク１４に連絡すると共に、排出路１６ａに遊技球回収装置を連絡する。
【００１６】
一方ドア部６２は、その上半分の領域に、後述する遊技部１８の前面板２０を臨ませる開口部６６を形成し、前面下半分の領域には、有価価値媒体を受入れ可能とする有価価値媒体受入れ部８２と、有価価値媒体払出し部９２（又は９４）から払い出された有価価値媒体を遊技機２外方に払い出すための排出口７８を備えている。
すなわち、前記筐体６の前方に突出状に取り付けられる遊技部１８は、その前面側（後述する前面板２０）が、前記ドア部６２の開口部６６と同一平面状若しくは僅かに突出するように筐体６側に取り付けられるものとする。なお、本発明は、前記遊技部１８の前面側が前記ドア部６２の開口部６６より内方に位置する構成を除外するものではない。
次に、前記遊技部１８について説明するが、遊技部１８は、図１に示すパチスロ機の遊技部と、図２に示すパチンコ機の遊技部に分けて説明する。
【００１７】
「パチスロ機の遊技部」
パチスロ機の遊技部１８は、該遊技部１８を構成する各部材がユニット化されて一体物となっている。遊技部１８のユニットを構成する各部材は、例えば、夫々が軸を中心として回転作動可能に横一列に組み込んで配設された図示しない回胴回転装置（例えば、本実施例では機械的に回転する３個の回胴（リールともいう）で構成されているリール装置とする。）と、前記各リールを夫々視認可能とした窓部２４を備えた前面板２０を備え、該前面板２０には台座２２を取り付け、該台座２２の上面には、クレジットされている有価価値媒体を賭けるためのベット（ＢＥＴ）ボタン２６が備えられ、正面には、前記各リールを回転始動させるためのスタートボタン２８と、該スタートボタン２８と横方向に並んで前記回転する各リールを遊技者の任意によって強制停止させるための停止ボタン３０が備えられている。また、前記前面板２０には、遊技を行うために賭けられた有価価値媒体の数に応じて点灯するベット（ＢＥＴ）ランプ（１−ＢＥＴランプ、２−ＢＥＴランプ、最大ＢＥＴランプ）３２と、有価価値媒体の受入れ検知に応じて換算された遊技価値情報（遊技クレジット数）を表示する遊技クレジット数表示部３４と、有価価値払出し情報（実際払い出される有価価値払出し数）を表示する配当数表示部３６を備えている。なお、図示例では、上述のようにベットボタン２６、スタートボタン２８、停止ボタン３０とするが、これらの全て若しくは任意のものをレバーその他の構造に設計変更も可能である。
また、本実施例によれば、前記前面板の前面領域が本遊技機の遊技領域Ａである。
また、前記リールの回転制御手段・換算手段８０などを備えた制御基板３８なども一体的に組み込まれている。
【００１８】
従って、これら各部材を１ユニットとなるように構成する。例えば限定されるものではないが、前記各種ボタン２６，２８，３０などを備えた前面板２０を所望形状のケーシング４０の前面板とすると共に、該前面板２０の窓部２４から視認可能なように位置合わせをしたリール装置を、ケーシング４０内に回転可能に支持させて配設し、かつ前記制御基板３８をケーシング４０の裏面側などに添設して備えることでユニット化するなど、本発明の範囲内でユニット化させる構造は任意に設計変更可能である。
【００１９】
また、本体部４に対する交換可能な構成は、例えば、ケーシング４０の外底面４２に、該外底面４２の奥行き方向（図中、Ｘ２方向）に延設する長尺状の鍔部４４，４４を並行して一対突設し、前記筐体６の遊技部配設スペース内底面８ａに、該内底面８ａの奥行き方向（図中、Ｘ２方向）に延設した断面視略Ｌ字状の一対のレール部４６，４６を、その差込部４８，４８を対向させた状態で並設し、前記一対の鍔部４４，４４を、前方から前記レール部４６，４６の差込部４８，４８に差込掛止させることで遊技部１８を交換可能に配設するものとした形態が一例として挙げられる。なお、ケーシング４０を筐体６に対してネジ止め固定するものとしても交換可能であり、本発明の範囲内である。
【００２０】
なお、前記各リールは、その外周表面の周方向に複数種類の図柄が一定間隔で配設されており、各リールは夫々が定速回転、かつ別個に回転作動可能に構成されている。なお、この種のリール装置は特に限定されず一般的なリール装置が本発明の範囲内で適宜選択して用いることができる。
また、前記前面板２０には、パチスロ機一般に備えられるその他の各構造を本発明の範囲内で備えることは可能である。
【００２１】
さらに、本実施例では、回胴回転装置の一例として機械的に回転作動するリール装置を採用するが、これに限定解釈されるものではなく、例えばリールが回転している状態を液晶表示画面上に再現させるバックライト方式やサイドライト方式等の液晶ディスプレイ（ＬＣＤ：Liquid Crystal Display）や、投影機から反射板で屈折させてリールを動画表示させる投影型画像表示装置などを、前記前面板２０の裏側に配設してユニット化させることも可能であり、これらは本発明の範囲内で設計変更可能である。
【００２２】
「パチンコ機の遊技部」
パチンコ機の遊技部１８は、該遊技部１８を構成する各部材がユニット化されて一体物となっている。ユニット化された遊技部１８は、例えば、図示しない各始動口・大入賞口・入賞口・アウト口等の遊技に必要な各遊技部材５４を遊技盤ベース５２の表面に備えて構成されている遊技盤５０と、該遊技盤５０の裏側に配設され、画面上に識別情報を変動表示させ、前記遊技盤から視認可能な図示しない識別情報表示装置と、遊技盤５０の表側に配設されるガラス板５８を備えた前扉部５６とを備え、該前扉部５６のガラス板５８以外の表面任意箇所に、有価価値媒体の受入れ検知に応じて換算された遊技価値情報（遊技クレジット数）を表示する遊技クレジット数表示部３４と、有価価値払出し情報（実際払い出される有価価値払出し数）を表示する配当数表示部３６を備え、さらにハンドル６０・図示しない発射ソレノイド等の発射装置関連一式及び遊技に必要な多数の遊技球が封入され、封入されている遊技球を循環使用している遊技球循環型（いわゆる封入式）とする。
【００２３】
また、本実施例では、前記ハンドル６０が前記前扉部５６の前方に突出状に備えられている。この時、ハンドル６０を回避するように前扉部５６の下隅部分５６ａを切り欠いて前扉部５６がハンドル６０の存在に支障なく開閉作動できるものとしている。
なお、本実施例によれば、前記遊技盤５０に配設された遊技部材５４である左右のガイドレール５４ａにより仕切られた遊技盤表面領域が本遊技機の遊技領域Ａである。
また、前記識別情報表示装置の識別情報の変動制御・換算制御などを行う制御基板３８なども一体的に組み込まれている。
【００２４】
なお、本実施例では、識別情報表示装置を備えたパチンコ機を一例に説明するが、このような識別情報表示装置を備えないパチンコ機、例えば、第２種電動役物（羽根モノ・ヒコーキタイプ）を備えたパチンコ機なども本発明の範囲内である。
【００２５】
また、各始動口・大入賞口・入賞口・アウト口などは、夫々遊技盤ベース５２の裏側に図示しない回収循環通路が備えられており、各回収循環通路は、発射装置側に連絡されており、入賞した遊技球や入賞することなくアウト口へと入った遊技球を回収して循環使用すると共に、前記各始動口・大入賞口・入賞口若しくは夫々の回収循環通路には、遊技球の通過を検知し、該検知した信号を前記制御基板３８の換算部（換算手段８０）に送る図示しない通過センサを備えており、前記換算部よって、入賞した遊技球に応じた払出しに関する遊技価値情報（遊技の払出しポイント）を払い出しに関する有価価値媒体情報（実際の有価価値媒体払出し数）への換算を行い、制御基板３８を介して遊技部１８前面に備えた配当数表示部３６に表示する。
【００２６】
従って、これら各部材を１ユニットとなるように構成する。例えば限定されるものではないが、前記遊技盤５０の前側に前扉部５６を開閉可能に取り付けると共に、前記遊技盤５０の裏側に識別情報表示装置を所望かつ一般的な固着手段を介して一体的に配設してユニット化する。また、ケーシング内に識別情報表示装置を内装し、そのケーシング前面縁に遊技盤を取り付けると共に、前扉部を開閉可能に取付けてユニット化するなど、本発明の範囲内でユニット化させる構造は任意に設計変更可能である。
【００２７】
また、本体部４に対する交換可能な構成は、前記パチスロ機のユニット化した遊技部１８と同様の構成を採用することが可能であるためここでの説明は省略する。
【００２８】
ちなみに、遊技部材５４と共に遊技盤５０を構成する遊技盤ベース５２は、特に限定されないが、裏側に配設される識別情報表示装置、例えば後述する液晶ディスプレイを大型とした場合には、その大きさ・形状に合わせて全体若しくは一部を透明材で構成するものとしてもよく任意である。
遊技部材５４は、弾球遊技機において遊技に必要な全ての部材を言い、例えば、遊技領域Ａを区画すると共に、該遊技領域Ａに発射ソレノイドから打ち出される遊技球を導くガイドレール５４ａ、そして特に図示はしないが、遊技領域Ａに打ち出された遊技球が当たり、遊技球の流下方向を転動案内する遊技球誘導部材（例えば天通路、ステージなど）、前記識別情報表示装置の変動表示を起動すると共に、大当たりとするか否かの抽選処理を起動するチューリップ式の普通電動役物からなる始動口や、大当たり時に開放するアタッカと称する第一種特別電動役物の大入賞口、一般入賞口となる左右の入賞口、左右の風車、遊技領域での入賞を逃したアウト球を排出するアウト口、遊技盤ベース５２に打たれている多数の遊技釘などが一例として挙げられる。
【００２９】
なお、識別情報表示装置（本実施例では特別図柄表示装置とする。）は、例えば特別図柄・演出表示等を行うバックライト方式やサイドライト方式等の液晶ディスプレイ（ＬＣＤ：Liquid Crystal Display）や、投影機からの動画又は静止画を、反射板で屈折して表示させる投影型画像表示装置などが挙げられる。
【００３０】
ここで「識別情報」とは、数字、キャラクタ等で構成され、「識別情報」が所定態様になったことを条件に、所定の遊技状態に移行する可能性のあるもの、例えば特別図柄・普通図柄・飾り図柄や演出態様で当たりを示すもの等も含むものとする。
また、縦方向若しくは斜め方向の識別情報を変動表示させるものであったり、また、キャラクタが表示領域内で動作したり、背景が動作したりするものなど任意に設定可能である。
なお、全て若しくは任意の遊技部材を、透光性部材にて形成すると共に、その表面（前面・裏面のいずれか若しくは双方）の全域若しくは任意箇所に凹凸加工を施して構成するものとしてもよく、このように構成すれば各遊技部材が透光性を有すると共に、凹凸状に表面加工処理しているため透過した光が乱反射して装飾効果を上げることができる。
【００３１】
本実施例では、上述のように各遊技部１８をユニット化した実施の一例をもって説明したが、本発明はこれに限定解釈されるものではなく、遊技部１８を構成している各装置・制御基板３８などを、夫々別々に本体部４の任意箇所に取付け配置する構成であっても何等支障ないもので本発明の範囲内で設計変更可能である。
【００３２】
また、本実施例では、ユニット化された遊技部１８を本体部４の筐体６側に交換可能に配設するものとしているが、ドア部６２側に交換可能に配設するものとしてもよく本発明の範囲内である。
【００３３】
前記ドア部６２は、ドア枠６４の略上半分の領域に遊技部１８の前面を臨ませる開口部６６を備え、下半分の領域には、該領域内に備えたベース部６８の前面に、有価価値媒体受入れ部である遊技メダル受入れ部（遊技メダル投入部）８２を備えた上皿７０と、ドア部６２裏面側と連通する排出口７８と、該排出口７８前面に備えられる下皿７４とを備えている。
【００３４】
下皿７４には、所定の遊技の結果払い出された有価価値媒体（本実施例では遊技メダル若しくは遊技球のいずれか一方）を貯留する所望深さの有価価値媒体貯留凹部７６を備えている。すなわち、前記ドア部６２に備えた排出口７８は、この有価価値媒体貯留凹部７６に向けて開口されている。
排出口７８は、後述する有価価値媒体払出し部９２（又は９４）から払い出される有価価値媒体を前記有価価値媒体貯留凹部７６へと払い出す穴で、本実施例では、払い出し対象となる全ての有価価値媒体が通過可能な大きさに形成されている。なお、本実施例では遊技メダルと遊技球の双方が通過可能な正面視矩形穴径状に形成されているが、この穴形状は正面視円形状など任意である。
【００３５】
本実施例では、前記遊技メダル受入れ部８２は、前記上皿７０の上面右隅に一体的に立上げ形成されており、遊技メダルが投入可能な投入口８２ａを前方に向けて開口し、該投入口８２ａは後述するメダル流通路８８に連通している。
【００３６】
なお、本実施例では、上述したように上皿７０に、遊技メダル受入れ部８２を一体的に備える構成を採用しているが、本発明はこれに限定されず、上皿７０とは別体に備えてもよく本発明の範囲内で設計変更可能である。
【００３７】
ドア部６２裏面側には、前記遊技メダル受入れ部８２と連通するメダル流通路８８とを一体的に備えており、該メダル流通路８８には、通過有価価値媒体（遊技メダル）を検知可能とする通過センサ（検知部）８８ｂが備えられている。
【００３８】
メダル流通路８８は、遊技メダル受入れ部８２から受け入れた遊技メダルが流通可能な内径を有する所望クランク形状とし、その排出部８８ａ側を、後述する遊技メダル払出し部９２のホッパ開口９２ｂ上に臨ませている。なお、その流通路長さは、ホッパ９２ａ内に挿入される程度の長さであっても、ホッパ開口９２ｂ上方に位置する程度の長さであってもよく、遊技メダル受入れ部８２に受け入れた遊技メダルをホッパ９２ａに誘導して投入可能であれば特に限定はされない。
なお、遊技メダルを受け入れて、払い出される有価価値媒体が遊技球とする形態の場合には、遊技球払出し部９４が本体部４に備えられる。従って、遊技メダル払出し部９２が存在しないため、遊技メダルはこのメダル流通路８８を通過した際に通過センサ８８ｂにより検知され、その後は別途備えられる図示しない排出経路を介して回収されるものとする。
【００３９】
前記通過センサ８８ｂは、図１０（図１１）に示すように、遊技部１８側に備えた制御基板３８に接続されており、遊技メダル受入れ部８２から投入された遊技メダルを検知し、その受入れ検知信号を前記制御基板３８の換算部（換算手段８０）に送り、該換算部８０の受入れ換算手段８０ａよって、受け入れられた遊技メダルに応じた遊技価値情報（遊技クレジット数）の換算を行い、遊技部１８の前面板２０に備えたクレジット表示部３４に、遊技クレジット数をクレジット表示する。
【００４０】
例えば、パチンコ型の遊技機で、例えば受入れ有価価値媒体として遊技メダルを用いる形態の場合、例えば受け入れられた遊技メダル１個で遊技球５個に換算して５個の遊技球を打ち出し可能に供給する。この場合、クレジット表示部３４には、遊技可能な球数が表示される。
【００４１】
なお、通過センサ８８ｂは、この種のセンサとして用いられている全てのセンサから本発明の範囲内で適宜選択可能である。
また通過センサ８８ｂは、遊技メダル受入れ部に備えるものとすることもでき本発明の範囲内で設計変更可能である。
【００４２】
有価価値媒体払出し部９２，９４は、有価価値媒体を前記ドア部６２に備えた排出口７８を介して下皿７４の有価価値媒体貯留凹部７６へと払い出す払出し駆動部９２ｄ，９４ｅと、該払出し駆動部９２ｄ，９４ｅに払出し信号を送る払出し制御手段９２ｃ，９４ｉを一体的に備えてユニット化している。そして、前記本体部４に対して交換配置可能に備えるものとする。
有価価値媒体払出し部９２，９４は、異なる種類の有価価値媒体払出し部、本実施例では、図５に示す遊技メダルを払出す遊技メダル払出し部９２と、図７に示す遊技球を払出す遊技球払出し部９４とを夫々備え、夫々の払出し部９２，９４が前記本体部４に対して交換配置可能に構成されている。
【００４３】
図４乃至図６に示すように、遊技メダル払出し部９２は、前記本体部４の筐体６の内部空間の下半分領域に形成した有価価値媒体払出し部配設スペース１０に収容可能な所望形状を有するホッパ９２ａと、該ホッパ９２ａ内に備えられ、図示しない駆動源により回転可能に構成され、遊技メダルを払出し口９２ｅへと強制的に払い出す払出し駆動部９２ｄを備えて構成されている。
ここで払出し駆動部９２ｄの一例を挙げて説明する。なお、払出し駆動部は周知の構造が適宜選択可能で特に限定されるものではない。
払出し駆動部９２ｄは、図示しない駆動源によって回転可能に配されている回転円板９２ｆと、該回転円板９２ｆの下位に一体的に備えられて一緒に回転するメダル送り出し部９２ｇと、払出し口９２ｅの手前位置にて、両者間に所望な間隔をあけて配設されている可動ローラ９２ｈと固定ローラ９２ｉとで構成されている。回転円板９２ｆは、表裏面に貫通するメダル落下穴９２ｊが周上等間隔で複数設けられており、メダル送り出し部９２ｇは、前記回転円板９２ｆのメダル落下穴９２ｊの直下に位置するようにメダル保持ガイド部９２ｋが設けられている。そして、前記回転円板９２ｆが回転作動するとホッパ９２ａ内の遊技メダルが、回転円板９２ｆのメダル落下穴９２ｊに落下すると共に、下位のメダル保持ガイド部９２ｋに保持された状態でメダル払出し口９２ｅ方向へと搬送案内される。この時メダルは、メダル保持ガイド部９２ｋのテーパ状面９２ｍに沿って遠心力で外方へと移動しつつ搬送される。
そして、メダル払出し口９２ｅにつながるゲート部９２ｎに差し掛かると、該ゲート部９２ｎ位置に備えられている固定ローラ（上流側）９２ｉと可動ローラ（下流側）９２ｈとに接した状態でメダルが位置する。メダル送り出し部９２ｇのガイド爪９２ｑで押されて可動ローラ９２ｈを変位させ、ガイド爪９２ｑの先端がメダルに接する位置に来ると、メダルはさらにガイド爪９２ｑによってゲート部９２ｎ位置を越えてメダル払出し口９２ｅ方向へと押し出される。そして、メダルの中心が、回転円板９２ｆの中心を基準として可動ローラ９２ｈと固定ローラ９２ｉの中心を結ぶ直線Ｌよりも払出し口９２ｅ方向に押し出されると、可動ローラの戻り力によってメダルの後ろ側（ゲート寄り側）を勢いよく押すこととなるため、メダルは払い出し口から勢いよく払い出される。
この遊技メダル払出し部９２には、払出し駆動部９２ｄにより払い出された遊技メダルを検知する通過センサ９２ｒを備えている。通過センサ９２ｒは、払い出した有価価値媒体数の信号を制御基板３８へと送る。なお、図中９９ａはコネクタである。
【００４４】
図３・図７に示すように、遊技球払出し部９４は、前記本体部４の筐体６の内部空間の下半分領域に形成した有価価値媒体払出し部配設スペース１０に収容可能な所望形状を有するケーシング９４ａと、該ケーシング９４ａ内に備えた遊技球流下通路９４ｂと、該通路９４ｂの任意箇所に備えた払出し駆動部９４ｅと、該払出し駆動部９４ｅよりも下流側の遊技球流下通路９４ｂに臨んで配設されている通過センサ９６とで構成されている。通過センサ９６は、払い出した有価価値媒体数の信号を制御基板３８へと送る。
払出し駆動部９４ｅは、電磁ソレノイド９４ｆと、該ソレノイド９４ｆへの通電によりフラッパ板９４ｇが引き寄せられて回転制御が解除されることにより、自由に回転可能となり、遊技球を送り出し可能とするスプロケット９４ｈで構成されている。このスプロケット９４ｈは、遊技球流下通路９４ｂに臨んで配されている。なお、図中９９ａはコネクタである。
【００４５】
例えば、前記遊技球払出し部９４の払出し駆動部９４ｅをもって払出し駆動部の説明をすると、払出し駆動部９４ｅは、前記払出し制御手段９４ｉからの信号を受けて電磁ソレノイド９４ｆへ通電されることにより、フラッパ板９４ｇを引き寄せ、このフラッパ板９４ｇの引き寄せ作動によりスプロケット９４ｈの回転制御が解除され、該スプロケット９４ｈにより流下を阻止されていた遊技球が、前記払出し制御手段９４ｉからの払出し数信号に応じて所定数量だけ遊技球流下通路９４ｂを流下し、払出し口９４ｄから払い出される。
【００４６】
遊技球流下通路９４ｂは、前記ケーシング９４ａの上面に開口した接続開口部９４ｃと、該ケーシング９４ａの正面下方領域の任意箇所に開口した払出し口９４ｄとを連絡する所望内径を有する通路で、遊技球の流下に支障を来たさない程度であればその通路形状は特に限定されない。
前記接続開口部９４ｃは、前記球通路１６の送り出し口１６ｃを連通状に接続し、球タンク１４内から供給される遊技球を遊技球流下通路９４ｂ内へと流下案内する。この接続開口部９４ｃは、前記送り出し口１６ｃと連通状に接続可能であればよく特に限定はされない。また、接続箇所が抜脱しないように固定する一般的な固定構造を採用することも可能である。なお、その場合であっても任意にその固定構造が着脱可能な構造とする。
【００４７】
前記各払出し部９２，９４の払出し口９２ｅ，９４ｄは、ドア部６２の下半分領域に備えた排出口７８と相対向する位置に開口されている。前記払出し口９２ｅ，９４ｄは、確実に排出口７８を介して下皿７４へと有価価値媒体を払い出すため、排出口７８のドア部６２裏面側開口に当接させて備えるものとするのが好ましく、さらに例えばドア部６２を閉じた際に前記した排出口７８内に挿入可能とする図示しない案内舌片を備え、排出口７８への払出し有価価値媒体の確実な排出を行うように構成することもできる。
【００４８】
払出し換算手段８０ｂは制御基板３８に備えられ、図１０に示すように、払出しに関連する遊技価値情報（遊技の払出しポイント）を、払出しに関連する有価価値媒体情報（実際の払出し有価価値媒体数）に換算し、その有価価値媒体情報信号を払出し制御手段（払出し制御基板）９２ｃ，９４ｉに送り、払出し制御手段９２ｃ，９４ｉが払出し駆動部９２ｄ，９４ｅを駆動させる。
【００４９】
払出し制御手段９２ｃ，９４ｉは、例えば本実施例では、有価価値媒体払出し部９２，９４の外側に一体的に備えられた制御基板で、払出し換算手段８０ｂによる払出しに関連する有価価値媒体情報に応じて払出し駆動部９２ｄ，９４ｅを駆動させる。
また、前記払出し換算手段８０ｂは、本実施例では制御基板３８に備えているが、図１１に示すように、各有価価値媒体払出し部９２，９４に一体的に備えてユニット化することも可能である。このように前記払出し換算手段８０ｂをユニット化する手段を採用することにより、新規の有価価値媒体を払出しに用いる際にも、ユニットの新設のみで容易に対応することができるため大変取り扱い性にも優れる。
【実施例２】
【００５０】
図８は実施例２の要部を示す。
本実施例２は、例えば有価価値媒体払出し部として用いられる遊技メダル払出し部９２と遊技球払出し部９４が、本体部４に対して簡単かつ確実に交換可能とする所望な係合構造９８を備えている実施の一例である。その他の構成及び作用効果は前記実施例１と同一であるためここでの説明は省略する。
【００５１】
係合構造９８は、例えば図８に示すように、有価価値媒体払出し部９２（９４）の側面で、該側面の奥行き方向（図中、矢印Ｘ方向）に一対の係合部９８ａ，９８ａを延設し、該係合部９８ａ，９８ａが係合可能な被係合部９８ｂ，９８ｂを、前記本体部４の筐体６の内部空間の下半分領域に形成した有価価値媒体払出し部配設スペース１０の内底面１０ａに配設する。従って、遊技店側が選択したいずれかの有価価値媒体払出し部９２（９４）の係合部９８ａ，９８ａを前方方向から被係合部９８ｂ，９８ｂに差込係合させる。これにより、有価価値媒体払出し部９２（９４）は、本体部４に対して交換可能に配設できる。
【００５２】
例えば、具体的には、有価価値媒体払出し部９２（９４）の側面に、該側面の奥行き方向（図中、矢印Ｘ方向）に延設する長尺状の鍔状の係合部９８ａ，９８ａを並行して一対突設し、前記筐体６の内部空間の下半分領域に形成した有価価値媒体払出し部配設スペース１０の内底面１０ａに、該内底面１０ａの奥行き方向（図中、矢印Ｘ方向）に延設した断面視略Ｌ字状の一対のレール状被係合部９８ｂ，９８ｂを、その差込部９８ｃ，９８ｃを対向させた状態で並設し、前記一対の係合部９８ａ，９８ａを、前方から前記被係合部９８ｂ，９８ｂの差込部９８ｃ，９８ｃに差込掛止させることで有価価値媒体払出し部９２（９４）は、本体部４に対してを交換可能に配設するものとした形態が一例として挙げられる。なお、有価価値媒体払出し部９２（９４）を筐体６に対してネジ止め固定するものとしても交換可能であり、本発明の範囲内である。
【００５３】
さらに、本実施例では、遊技メダル払出し部９２の係合部９８ａ，９８ａと遊技球払出し部９４の係合部９８ａ，９８ａを同一のものとして、同一の本体部４の被係合部９８ｂ，９８ｂに係合可能とする。従って、遊技メダル払出し部９２と遊技球払出し部９４の交換がなし得ると共に、その交換作業が簡単である。
【実施例３】
【００５４】
図９は実施例３の要部を示す。
本実施例３は、有価価値媒体払出し部９２，９４と本体部４に備えられる係合構造９８の他の実施の一例である。
その他の構成及び作用効果は前記実施例１と同一であるためここでの説明は省略する。
本実施例では、有価価値媒体払出し部９２（９４）の底面に備えられる係合部９８ａ，９８ａを、底面の奥行き方向（図中、矢印Ｘ方向）に向けて長尺矩形状の突条に形成すると共に、該長尺矩形状の係合部９８ａ，９８ａが上方から嵌入可能な長尺矩形凹溝状の被係合部９８ｂ，９８ｂを、前記本体部４の筐体６の内部空間の下半分領域に形成した有価価値媒体払出し部配設スペース１０の内底面１０ａに備える構造とした。これにより、有価価値媒体払出し部９２（９４）は、本体部４に対して交換可能に配設できる。
さらに、本実施例では、遊技メダル払出し部９２の係合部９８ａ，９８ａと遊技球払出し部９４の係合部９８ａ，９８ａを同一のものとして、同一の本体部４の被係合部９８ｂ，９８ｂに係合可能とする。従って、遊技メダル払出し部９２と遊技球払出し部９４の交換がなし得ると共に、その交換作業が簡単である。
【００５５】
このように上述した本実施例によれば、遊技店側が任意に遊技機に使用される有価価値媒体を変更したいと考えた場合、容易かつコスト安価に対応可能となる。
ここで、具体的な事例をあげて本実施例の遊技機２を使用することの優位点を説明し、本発明が解決しようとする課題を明確にする。
【００５６】
例えば、弾球遊技機を主に営業する遊技店において、その遊技機全部若しくは一部をパチスロ機に交換し、遊技店の営業形態の全部若しくは一部を変更することもある。
弾球遊技機を主とする遊技店では、弾球遊技機の島設備、例えば遊技球を各遊技機に補給する球補給装置や、遊技機から排出される遊技球を回収する球回収装置、回収した遊技球を洗浄などする洗浄装置などからなる遊技球の循環システムを備えていることが多い。
本実施例によれば、このような遊技球循環システムを、そのまま交換後のパチスロ機にも使用できるため、既存設備の有効利用が図れる。
【００５７】
これに対し、遊技メダルを有価価値媒体として投入し、遊技メダルを払出し有価価値媒体として払い出す一般的なパチスロ機を改めて導入する場合には、例えばこれに対応して遊技メダル貸出し装置や、計数装置など付帯設備の設備コストやこれらの施工コストなどが掛かるという課題がある。
さらに、遊技球循環システムを使用せずにそのまま残存させておくには遊技店の遊技場スペース的にも困難なため、廃棄処分することとなるが、廃棄処分に要する諸費用も掛かり、この点のコスト面の課題もあるばかりか、既存の遊技台からの交換作業時間にさらに遊技球循環システムの廃棄処分作業時間も合さって工期が長くなる結果、営業を再開できるまでの時間的ロスもかなり有る。
従って、本実施例によれば、遊技店側としては上述の通り既存設備をそのまま使用し、パチスロ機にあっても、有価価値媒体として遊技球を投入し、これをパチスロ機の遊技価値情報（遊技クレジット数）に換算して遊技が楽しめ、かつ遊技の結果、払い出される払出し有価価値媒体も遊技球とするものとできるため、営業形態の変更による遊技機の交換から生じる店舗改装などに掛かるコスト及び時間的ロスを低減することができ、大変好ましい。
【００５８】
また、上述の場合とは逆に、パチスロ機を主とする遊技店では、上述したような大型の遊技球循環システムを備えていない。
従って、このような営業形態の遊技店において、既存のパチスロ機の全部若しくは一部をパチンコ機に交換し、遊技店の営業形態の全部若しくは一部を変更したいと考えている場合には、あえて遊技球循環システムのような大型でコストの掛かるものを新たに導入するよりも、今までパチスロ機で有価価値媒体として使用していた遊技メダルをそのまま使用して遊技できるパチンコ機を導入する方が好ましい。
すなわち、遊技メダルを有価価値媒体として使用する方が、遊技店側にとって取り扱い難い遊技球を使用するよりも、取り扱い性及び管理上の面からも好ましくニーズも高いと考えられる。しかし、このような遊技店側のニーズに応えることは、従来の遊技機では到底無理である。
【００５９】
さらに、パチスロ機とパチンコ機を併設する営業形態の遊技店にあっては、両遊技機の有価価値媒体を同一のものとすれば有価価値媒体の一元管理もでき好ましいが、この点を満足する遊技機も従来はない。
また、上述した営業形態を変更した各遊技店で、さらに現在、投入・払出ししている有価価値媒体のいずれか若しくは双方を、遊技球から遊技メダルに、あるいは遊技メダルから遊技球に変えたいと考えた場合にも、遊技店側が任意かつ容易に変更できれば、その後の営業形態の変更によるコストや時間的ロスも少なくて済むが、従来の遊技機ではこの点を満足することは到底無理である。
【００６０】
従って、本実施例の遊技機によれば、遊技店側としては、パチンコ機からパチスロ機に交換し営業形態を変更する場合にあっても、営業形態の変更による遊技機の交換から生じる店舗改装などに掛かるコスト及び時間的ロスを低減することができ大変好ましい。
また、遊技メダルを有価価値媒体として使用する方が、遊技店側・遊技者側にとって取り扱い性及び遊技店側の管理上の面から好ましい場合にも、任意かつ容易に対応することができ、ニーズに十分対応し得る。
さらに、パチスロ機とパチンコ機を併設する営業形態の遊技店にあっては、両遊技機の有価価値媒体を同一のものとすることもでき有価価値媒体の一元管理が図れる。
また、営業形態を変更した各遊技店で、さらに現在、投入・払出ししている有価価値媒体を、遊技球から遊技メダルに、あるいは遊技メダルから遊技球に変えたいなどと考えた場合にも、遊技店側が何度でも任意かつ容易に変更できるため、その後の営業形態の変更によるコストや時間的ロスも少なくて済む。
【図面の簡単な説明】
【００６１】
【図１】本発明の遊技機で、スロット型の遊技機の一実施例を示す概略斜視図。
【図２】本発明の遊技機で、パチンコ型の遊技機の一実施例を示す概略斜視図。
【図３】有価価値媒体払出し部の交換状態を示す概略図。
【図４】有価価値媒体払出し部の交換状態を示す概略図。
【図５】有価価値媒体払出し部の一実施例で、遊技メダル払出し部の斜視図。
【図６】遊技メダル払出し部の払出し駆動部の要部を示す概略図。
【図７】有価価値媒体払出し部の一実施例で、遊技球払出し部の概略断面図。
【図８】有価価値媒体払出し部と本体部との係合構造を示す概略斜視図。
【図９】有価価値媒体払出し部と本体部との係合構造を示す概略斜視図。
【図１０】本発明遊技機の換算手段のブロック図。
【図１１】払出し換算手段を有価価値媒体払出し部にユニット化した遊技機の換算手段のブロック図。
【符号の説明】
【００６２】
２：遊技機
４：本体部
６：筐体
１８：遊技部
６２：ドア部
８０：換算手段
８２：遊技メダル受入れ部
９２：遊技メダル払出し部
９４：遊技球払出し部
９２ｄ，９４ｅ：払出し駆動部
９２ｃ，９４ｉ：払出し制御手段
９８：係合構造
９８ａ：係合部
９８ｂ：被係合部
Ａ：遊技領域
【図１】
2005152253.tif 000003
【図２】
2005152253.tif 000004
【図３】
2005152253.tif 000005
【図４】
2005152253.tif 000006
【図５】
2005152253.tif 000007
【図６】
2005152253.tif 000008
【図７】
2005152253.tif 000009
【図８】
2005152253.tif 000010
【図９】
2005152253.tif 000011
【図１０】
2005152253.tif 000012
【図１１】
2005152253.tif 000013